(57)【要約】【課題】  洗浄剤の水垢汚れの除去性能を向上できる無機質汚れの除去性向上剤の提供。【解決手段】  （ａ）分子量９０〜５００の多価カルボン酸又はその塩及び（ｂ）下記一般式（１）の化合物を（ｂ）成分／（ａ）成分＝０．０１〜４の質量比で含有しており、２５℃のｐＨが６〜８である無機質汚れの除去性向上剤。    Ｒ１−Ｏ−Ｘ      （１）〔式中、Ｒ１は２−エチルヘキシル、イソノニル、イソデシルから選ばれる基であり、ＸはＣＨ２ＣＨ（ＯＨ）ＣＨ２ＯＨである。〕【選択図】  なし【特許請求の範囲】
【請求項１】
（ａ）分子量９０〜５００の多価カルボン酸又はその塩及び（ｂ）下記一般式（１）の化合物を（ｂ）成分／（ａ）成分＝０．０１〜４の質量比で含有しており、２５℃のｐＨが６〜８である無機質汚れの除去性向上剤。
Ｒ１−Ｏ−Ｘ      （１）
〔式中、Ｒ１は２−エチルヘキシル、イソノニル、イソデシルから選ばれる基であり、ＸはＣＨ２ＣＨ（ＯＨ）ＣＨ２ＯＨである。〕
【請求項２】
（ａ）成分を２．５〜８質量％、（ｂ）成分を０．１〜１０質量％及び水を含有する請求項１記載の無機質汚れの除去性向上剤。
【請求項３】
請求項１記載の無機質汚れの除去性向上剤を含有する、無機質汚れの除去性が向上された硬質表面用液体洗浄剤。
【請求項４】
請求項３記載の硬質表面用液体洗浄剤を用いて、無機質汚れを洗浄する無機質汚れの除去方法。
【発明の詳細な説明】
【技術分野】
【０００１】
本発明は、無機質汚れの除去性向上剤、それを用いた硬質表面用液体洗浄剤、前記硬質表面用液体洗浄剤を用いた無機質汚れの除去方法に関する。
【背景技術】
【０００２】
多価カルボン酸（塩）を含有する、水垢汚れなどの無機質汚れに効果を有する洗浄剤の技術は、例えば特許文献１〜４などを参考にすることができる。
【特許文献１】特開２００１−６４６８６号公報
【特許文献２】特開２００１−３０３０９５号公報
【特許文献３】特開平１１−２６９４９１号公報
【特許文献４】特開平１０−２０４４８０号公報
【発明の開示】
【発明が解決しようとする課題】
【０００３】
台所のシンク廻りなどに付着した水垢汚れは非常に頑固な汚れであり、一般の洗浄剤では十分に落としきれないため、研磨剤を含有する洗浄剤が用いられている。しかし、研磨剤入りの洗浄剤は、非常に高い水垢汚れ除去性能を有する一方で、ステンレス製や樹脂製のシンク表面を傷つけて、光沢を損なうという課題がある。このため、消費者の間では、研磨剤の入っていない中性の食器洗い洗浄剤を用いてシンクを洗浄することも行われているが、このような中性の食器洗い洗浄剤では、シンク廻りの水垢などの汚れを満足できる程度まで落とすことはできない。
【０００４】
クエン酸などの多価カルボン酸は、水垢などの無機質汚れの除去に効果的であることが知られており、特許文献１〜４を参考にすることができるが、これら技術によっても十分満足できる洗浄力を得るまでには至っていない。また、クエン酸などの多価カルボン酸を用いた洗浄剤は、中性／アルカリ性では無機質汚れの除去効果が低下するため、特許文献１、２のようにｐＨを酸性にして用いることが一般的であり、中性の食器洗い洗浄剤にこれら技術を応用しても水垢などの無機質汚れを効果的に除去する効果は小さい。
【０００５】
特許文献４には、中性において優れた洗浄力を有する技術が開示されており、多価カルボン酸と溶剤を併用することが記載されている。しかし、この技術においても、頑固な汚れである水垢などの無機質汚れに対しては、まだ満足できる洗浄レベルには至っていない。
【０００６】
本発明の課題は、研磨剤を必要とせず、かつ中性領域であっても、無機質汚れに対して高い洗浄力を付与することができる無機質汚れの除去性向上剤を提供することである。
【０００７】
更に本発明の他の課題は、前記した無機質汚れの除去性向上剤を含有する、無機質汚れの除去性が向上された硬質表面用液体洗浄剤、それを用いた無機質汚れの除去方法を提供することである。
【課題を解決するための手段】
【０００８】
本発明は、（ａ）分子量９０〜５００の多価カルボン酸又はその塩及び（ｂ）下記一般式（１）の化合物を（ｂ）成分／（ａ）成分＝０．０１〜４の質量比で含有しており、２５℃のｐＨが６〜８である無機質汚れの除去性向上剤を提供する。
【０００９】
Ｒ１−Ｏ−Ｘ      （１）
〔式中、Ｒ１は２−エチルヘキシル、イソノニル、イソデシルから選ばれる基であり、ＸはＣＨ２ＣＨ（ＯＨ）ＣＨ２ＯＨである〕。
【００１０】
本発明は、（ａ）成分を２．５〜８質量％、（ｂ）成分を０．１〜１０質量％及び水を含有する請求項１記載の無機質汚れの除去性向上剤を提供する。
【００１１】
本発明は、請求項１記載の無機質汚れの除去性向上剤を含有する、無機質汚れの除去性が向上された硬質表面用液体洗浄剤を提供する。
【００１２】
本発明は、請求項３記載の硬質表面用液体洗浄剤を用いて、無機質汚れを洗浄する無機質汚れの除去方法を提供する。
【発明の効果】
【００１３】
本発明の無機質汚れの除去性向上剤は、硬質表面用液体洗浄剤の無機質汚れ除去性能を向上させることができる。
【発明を実施するための最良の形態】
【００１４】
＜無機質汚れの除去性向上剤＞
〔（ａ）成分〕
本発明の無機質汚れの除去性向上剤で用いる（ａ）成分は、分子量９０〜５００の多価カルボン酸又はその塩であり、具体的には下記（ａ１）群及び（ａ２）群から選ばれる１種以上の化合物が好適である。
【００１５】
（ａ１）群
ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸、アルキルグリシン−Ｎ，Ｎ−ジ酢酸、アスパラギン酸−Ｎ，Ｎ−ジ酢酸、セリン−Ｎ，Ｎ−ジ酢酸、グルタミン酸二酢酸、エチレンジアミンコハク酸などのアミノポリ酢酸又はこれらの塩、好ましくはアルカリ金属塩、もしくはアルカノールアミン塩。
【００１６】
（ａ２）群
ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキメチル酒石酸などの有機酸又はこれらのアルカリ金属塩、もしくはアルカノールアミン塩。
【００１７】
本発明においては、特に（ａ２）群の化合物から選ばれる１種又は２種以上を用いた場合に、（ｂ）成分と併用することで無機質汚れ除去効果を相乗的に向上させることができるため好ましく、特にクエン酸が最も高い相乗効果を得ることができるため好ましい。
【００１８】
〔（ｂ）成分〕
本発明の無機質汚れの除去性向上剤で用いる（ｂ）成分は、上記した一般式（１）で表される化合物である。一般式（１）中のＲ１は、洗浄力の観点から、２−エチルヘキシルが好ましい。
【００１９】
（ｂ）成分である一般式（１）の化合物は、例えば、Ｒ１が２−エチルヘキシルのとき、２−エチルヘキサノールとエピハロヒドリンやグリシドールなどのエポキシ化合物をＢＦ３などの酸触媒、あるいはアルミニウム触媒を用いて反応させて製造する方法が一般的であり、特開２００１−４９２９１号公報に記載されているように複数の生成物を含む混合物である。
【００２０】
具体的には、２−エチルヘキシルモノグリセリルエーテルとして、エポキシ化合物の１位に２−エチルヘキサノールが付加した化合物〔３−（２−エチルヘキシルオキシ）−１，２−プロパンジオール、以下（ｂ１）という〕やエポキシ化合物の２位に付加した化合物〔２−（２−エチルヘキシルオキシ）−１，３−プロパンジオール、以下（ｂ２）という〕を挙げることができる。また、副生成物として、（ｂ１）又は（ｂ２）にさらにエポキシ化合物が付加した多付加化合物（以下（ｂ３）という）を挙げることができる。
【００２１】
本発明では、（ｂ）成分中の（ｂ３）成分の含有量が３０質量％以下であることが好ましく、より好ましくは１０質量％以下、更に好ましくは１質量％以下である。残部は、（ｂ１）成分と（ｂ２）成分の混合物である。
【００２２】
本発明の無機質汚れの除去性向上剤は、（ａ）成分を好ましくは２．５〜８質量％、より好ましくは２．５〜７質量％、更に好ましくは３〜６質量％含有し、（ｂ）成分を０．１〜１０質量％、好ましくは０．２〜６質量％、更に好ましくは０．５〜５質量％含有する。
【００２３】
本発明の無機質汚れの除去性向上剤は、（ｂ）成分／（ａ）成分を０．０１〜４、好ましくは０．０２〜３、特に好ましくは０．０７〜２．５の質量比で含有する。
【００２４】
（ａ）及び（ｂ）成分以外の残部は水が好適であり、使用する水は、水に存在する微量の金属成分を除去したイオン交換水や蒸留水、もしくは次亜塩素酸塩や塩素で滅菌した滅菌水などを用いることが好適であり、特に鉄イオン、ニッケルイオン、銅イオンの合計量を１ｐｐｍ未満（質量基準）に低減化させた水を使用することが好ましい。
【００２５】
本発明の無機質汚れの除去性向上剤は、本発明の効果を発揮するため、２５℃におけるｐＨが６〜８であり、好ましくは６〜７である。
【００２６】
ｐＨ調整剤としては、塩酸や硫酸など無機酸や、上記（ａ）成分などの酸剤を用いることができる。また、アルカリ剤としては、水酸化ナトリウムや水酸化カリウム、炭酸ナトリウム、炭酸カリウムを用いることが好ましい。
【００２７】
本発明の無機質汚れの除去性向上剤は、それ自体を用いて無機質汚れを洗浄除去することもできるが、洗浄効果を高める観点から、本発明の無機質汚れの除去性向上剤を添加した液体洗浄剤を用いて無機質汚れを洗浄する方法、本発明の無機質汚れの除去性向上剤と市販の液体洗浄剤を併用して（例えば、スポンジ等に両剤を含浸させる）無機質汚れを洗浄する方法を適用することが好ましい。
【００２８】
＜硬質表面用液体洗浄剤＞
本発明の硬質表面用液体洗浄剤は、上記した無機質汚れの除去性向上剤を含有するものであり、（ａ）成分、（ｂ）成分と共に、他の成分を含有するものである。
【００２９】
〔（ｃ）成分〕
本発明の硬質表面用液体洗浄剤は、（ｃ）成分として界面活性剤を含有することが好ましい。（ｃ）成分の界面活性剤としては、陽イオン界面活性剤、陰イオン界面活性剤、非イオン界面活性剤、両性界面活性剤から選ばれる１種以上が好適である。
【００３０】
陽イオン界面活性剤〔以下（ｃ１）成分という〕としては、炭素数８〜１６の炭化水素基を１〜３個と残りが炭素数１〜３のアルキル基又はヒドロキシアルキル基、もしくはベンジル基である４級アンモニウム化合物が好適である。（ｃ１）成分としては、下記一般式（２）〜（４）の化合物を挙げることができる。
【００３１】
【化１】
2007016130.tif 000002
【００３２】
〔式中、Ｒ１１及びＲ２１は、炭素数５〜１６、好ましくは炭素数６〜１４のアルキル基又はアルケニル基、好ましくはアルキル基であり、Ｒ１３、Ｒ１４は、炭素数１〜３のアルキル基又はヒドロキシアルキル基である；
Ａは−ＣＯＯ−、ＯＣＯ−、−ＣＯＮＨ−、−ＮＨＣＯ−
【００３３】
【化２】
2007016130.tif 000003
【００３４】
である；
ａは０又は１の数である；
Ｒ１２は、炭素数１〜６のアルキレン基、又は−（Ｏ−Ｒ１６）ｂ−である（ここでＲ１６はエチレン基もしくはプロピレン基、好ましくはエチレン基であり、ｂは１〜１０、好ましくは１〜５の数である）；
Ｒ１５は、炭素数１〜５、好ましくは炭素数２又は３のアルキレン基である；
Ｒ３１、Ｒ３２、Ｒ３３、Ｒ３４は、これらの内２つ以上（好ましくは２つ）は炭素数８〜１２のアルキル基であり、残りが炭素数１〜３のアルキル基又はヒドロキシアルキル基である；
Ｘは、陰イオン基、好ましくはハロゲンイオン、炭素数１〜３のアルキル硫酸イオンである。〕
本発明の特に好ましい陽イオン界面活性剤としては、下記の一般式（５）〜（７）のものを挙げることができる。
【００３５】
【化３】
2007016130.tif 000004
【００３６】
〔式中、Ｒ４１は、炭素数８〜１２のアルキル基を示し、Ｒ４２は、分岐していてもよい炭素数６〜１０のアルキル基を示し、ｃは１〜５の数を示す〕。
【００３７】
陰イオン界面活性剤〔以下（ｃ２）成分という〕としては、炭素数１０〜１８のアルキル基又はアルケニル基を有するアルキルベンゼンスルホン酸塩、ポリオキシアルキレンアルキルエーテル硫酸エステル塩、アルキル硫酸エステル塩、α−オレフィンスルホン酸塩、α−スルホ脂肪酸塩、α−スルホ脂肪酸低級アルキルエステル塩又は脂肪酸から選ばれる陰イオン界面活性剤を挙げることができる。
【００３８】
アルキルベンゼンスルホン酸塩としては、洗剤用界面活性剤市場に一般に流通しているものの中で、アルキル鎖の平均炭素数が８〜１６のものであればいずれも用いることができ、例えば花王（株）製のネオペレックスＦ２５、Ｓｈｅｌｌ社製のＤｏｂｓ１０２等を用いることができる。また、工業的には、洗剤用原料として広く流通しているアルキルベンゼンをクロルスルホン酸、亜硫酸ガス等の酸化剤を用いてスルホン化して得ることもできる。アルキル基の平均炭素数は１０〜１４が好ましい。
【００３９】
ポリオキシアルキレンアルキルエーテル硫酸塩としては、平均炭素数１０〜１８、好ましくは１０〜１６の直鎖もしくは分岐鎖１級アルコール又は直鎖２級アルコールに、ＥＯを１分子当たり平均０．５〜５モル付加させ、これを例えば特開平９−１３７１８８号記載の方法を用いて硫酸化して得ることができる。アルキル基の平均炭素数は１０〜１６が好ましい。
【００４０】
アルキル硫酸エステル塩としては、炭素数１０〜１６、好ましくは１０〜１４の直鎖もしくは分岐鎖１級アルコール又は直鎖２級アルコールをＳＯ３又はクロルスルホン酸でスルホン化し、中和して得ることができる。
【００４１】
α−オレフィンスルホン酸塩は、炭素数８〜１８の−アルケンをＳＯ３でスルホン化し、水和／中和を経て製造することができ、炭化水素基中にヒドロキシ基が存在する化合物と不飽和結合が存在する化合物の混合物である。
【００４２】
α−スルホ脂肪酸低級アルキルエステル塩としては、アルキル基の炭素数は１０〜１６が好ましく、メチルエステル又はエチルエステルが洗浄効果の点から好ましい。
【００４３】
本発明では、皮膚刺激性及び洗浄効果の点から、炭素数１０〜１４、エチレンオキシド平均付加モル数１〜３のポリオキシエチレンアルキル硫酸エステル塩が特に良好である。
【００４４】
脂肪酸としては、炭素数８〜１４の飽和脂肪酸、好ましくはカプリル酸、カプリン酸、ラウリン酸、ミリスチン酸が好ましい。また、やし油やパーム核油から誘導されるアルキル分布を有する脂肪酸も使用することができる。なお、本発明でいう脂肪酸とは、アルキル基又はアルケニル基とカルボン酸基のみから構成される化合物であり、アルキルエーテルカルボン酸やアルキルアミドカルボン酸などの化合物が含まれない。
【００４５】
塩としては、ナトリウム塩、カリウム塩、マグネシウム塩、カルシウム塩、アルカノールアミン塩、アンモニウム塩が好適であり、洗浄効果の点からナトリウム塩、カリウム塩、マグネシウム塩が好ましい。
【００４６】
非イオン界面活性剤〔以下（ｃ３）成分という〕としては、下記一般式（８）及び／又は一般式（９）の化合物が好ましい。
【００４７】
Ｒ５１−Ｏ−（Ｒ５２Ｏ）ｄ−Ｈ    （８）
〔式中、Ｒ５１は、炭素数８〜１８、好ましくは１０〜１６のアルキル基又はアルケニル基であり、Ｒ５２は、炭素数２又は３のアルキレン基であり、好ましくはエチレン基である。ｄは、平均付加モル数として３以上２０未満、好ましくは４以上１５以下、特に好ましくは５以上１０以下の数を示す〕。
【００４８】
Ｒ６１−（ＯＲ６１）ｅＧｆ    （９）
〔式中、Ｒ６１は、直鎖の炭素数８〜１６、好ましくは１０〜１６、特に好ましくは１０〜１４のアルキル基、Ｒ６２は、炭素数２〜４のアルキレン基、好ましくはエチレン基又はプロピレン基、特にエチレン基であり、Ｇは還元糖に由来する残基、ｅは平均値０〜６の数、ｆは平均値１〜１０、好ましくは１〜５、特に好ましくは１〜２の数を示す〕。
【００４９】
一般式（８）の化合物において、特に好ましい化合物としては、下記一般式（８−１）の化合物又は一般式（８−２）の化合物を挙げることができる。
【００５０】
Ｒ５３−Ｏ（ＥＯ）ｇ−Ｈ    （８−１）
〔式中、Ｒ５３は、炭素数１０〜１８、好ましくは１０〜１６の一級の直鎖アルキル基、分岐鎖アルキル基又は二級のアルキル基である。ＥＯはエチレンオキサイドであり、ｇは平均付加モル数として３以上２０未満である〕。
【００５１】
Ｒ５４−Ｏ〔（ＥＯ）ｈ／（ＰＯ）ｉ〕−Ｈ    （８−２）
〔式中、Ｒ５４は、炭素数１０〜１８、好ましくは１０〜１６の一級のアルキル基である。ＥＯはエチレンオキサイド、ＰＯはプロピレンオキサイドを示す。ｈは、平均付加モル数３〜１５、ｉは、平均付加モル数１〜５であり、ｈとｉの合計は２０未満である。ＥＯとＰＯは、ランダム付加又はＥＯを付加した後、ＰＯを付加してもよく、またその逆のようなブロック付加体でもよい〕。
【００５２】
一般式（８）の化合物において、Ｇは還元糖に由来する残基であり、原料の還元糖としては、アルドースとケトースの何れであっても良く、また、炭素数が３〜６個のトリオース、テトロース、ペントース、ヘキソースを挙げることができる。アルドースとして具体的にはアピオース、アラビノース、ガラクトース、グルコース、リキソース、マンノース、ガロース、アルドース、イドース、タロース、キシロースを挙げることができ、ケトースとしてはフラクトースを挙げることができる。
【００５３】
本発明ではこれらの中でも特に炭素数５又は６のアルドペントースあるいはアルドヘキソースが好ましく中でもグルコースが最も好ましい。Ｇの還元糖としては上記単糖類が好ましいが、これら単糖が２〜５個、好ましくは２又は３個縮合したオリゴ糖を用いても差し支えない。さらには単糖とオリゴ糖が混合したものでもよく、この場合には平均縮合度は１〜５、好ましくは１〜３、特に好ましくは１〜２が好適であり、１〜１．５が最も好ましい。
【００５４】
一般式（９）の化合物は、Ｒ６１−（ＯＲ６２）ｅ−ＯＨと還元糖とを酸触媒を用いてアセタール化反応又はケタール化反応することで容易に合成することができる。これらはアセタール化反応の場合、ヘミアセタール構造であっても良く、通常のアセタール構造であっても良い。
【００５５】
両性界面活性剤〔以下（ｃ４）成分という〕のより具体的化合物としては、下記一般式（10）の化合物、及び下記一般式（11）の化合物が好ましい。
【００５６】
【化４】
2007016130.tif 000005
【００５７】
〔式中、Ｒ７１は、炭素数８〜１６のアルキル基又はアルケニル基であり、Ｒ７２は、炭素数１〜６のアルキレン基であり、Ｂは−ＣＯＯ−、−ＣＯＮＨ−、−ＯＣＯ−、−ＮＨＣＯ−から選ばれる基である。ｊは０又は１の数であり、Ｒ７３、Ｒ７４は、それぞれ炭素数１〜３のアルキル基又はヒドロキシアルキル基である〕。
【００５８】
【化５】
2007016130.tif 000006
【００５９】
〔式中、Ｒ８１は、炭素数９〜２３のアルキル基又はアルケニル基であり、Ｒ８２は、炭素数１〜６のアルキレン基である。Ｄは−ＣＯＯ−、−ＣＯＮＨ−、−ＯＣＯ−、−ＮＨＣＯ−、−Ｏ−から選ばれる基であり、ｋは０又は１の数である。Ｒ８３、Ｒ８４は、それぞれ炭素数１〜３のアルキル基又はヒドロキシアルキル基であり、Ｒ８５は、ヒドロキシ基で置換していてもよい炭素数１〜５のアルキレン基である。Ｅは−ＳＯ３−、−ＯＳＯ３−、−ＣＯＯ−から選ばれる基である〕。
【００６０】
一般式（10）において、Ｒ７１は、好ましくは炭素数１０〜１４のアルキル基又はアルケニル基であり、特に好ましくはラウリル基（又はラウリン酸残基）及び／又はミリスチル基（又はミリスチン酸残基）である。Ｂは、好ましくは−ＣＯＯ−又は−ＣＯＮＨ−であり、最も好ましくは−ＣＯＮＨ−である。
【００６１】
一般式（11）において、Ｒ８１は、単独のアルキル（又はアルケニル）鎖長でもよく、異なるアルキル（又はアルケニル）鎖長を有する混合アルキル基（又はアルケニル基）であってもよい。後者の場合には、ヤシ油、パーム核油から選ばれる植物油から誘導される混合アルキル（又はアルケニル）鎖長を有するものが好適である。具体的にはラウリル基（又はラウリン酸残基）／ミリスチル基（又はミリスチン酸残基）のモル比が９５／５〜２０／８０、好ましくは９０／１０〜３０／７０であることが洗浄効果、及び泡立ち性の点から好ましい。
【００６２】
一般式（11）において、Ｒ８１は、好ましくは炭素数９〜１５、特に９〜１３のアルキル基であり、Ｒ８２は、好ましくは炭素数２又は３のアルキレン基である。Ｄは−ＣＯＮＨ−が好ましい。Ｒ８３、Ｒ８４は、メチル基、又はヒドロキシエチル基が好ましい。Ｅは−ＳＯ３−、又は−ＣＯＯ−が好ましく、Ｅが−ＳＯ３−の場合には、Ｒ８５は−ＣＨ２ＣＨ（ＯＨ）ＣＨ２−が好ましく、Ｅが−ＣＯＯ−の場合には、Ｒ８５はメチレン基が好ましい。
【００６３】
本発明では洗浄効果の点から、（ｃ）成分の中でも（ｃ１）成分、（ｃ２）成分が好ましく、特に（ｃ２）成分が好適である。
【００６４】
〔（ｄ）成分〕
本発明の硬質表面用液体洗浄剤は、更に（ｂ）成分以外の水溶性溶剤〔以下（ｄ）成分という〕を含有することが好ましく、沸点が１００℃以上、好ましくは１００〜３００℃の水溶性溶剤が好適である。ここででいう水溶性とは、２０℃において水に任意の割合で溶解する溶剤とする。
【００６５】
（ｄ）成分の好ましい具体的例としては、（I）炭素数４〜１２の多価アルコール、（II）下記の一般式（12）で表される化合物、（III）下記の一般式（13）で表される化合物が貯蔵安定性の点から好適である。
【００６６】
Ｒ９１Ｏ（Ｃ２Ｈ４Ｏ）ｍ（Ｃ３Ｈ６Ｏ）ｎＲ９２    （12）
【００６７】
【化６】
2007016130.tif 000007
【００６８】
（I）の炭素数４〜１２の多価アルコールとしては、イソプレングリコール、2,2,4−トリメチル−1,3−ペンタンジオール、1,8−オクタンジオール、1,9−ノナンジオール、エチレングリコール、プロピレングリコール、ジエチレングリコール、ジプロピレングリコール、グリセリンが好適である。
【００６９】
（II）の化合物は、一般式（12）において、Ｒ９１、Ｒ９２がアルキル基である場合は炭素数は１〜４が特に好ましい。また、一般式（12）中、エチレンオキサイド（ＥＯ）及びプロピレンオキサイド（ＰＯ）の平均付加モル数のｍ及びｎは、それぞれ０〜１０の数のものが用いられるが、これらの付加順序は特に限定されず、ランダム付加したものであってもよい。
【００７０】
（II）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す）、ポリオキシエチレン（ｐ＝１〜５）グリコールフェニルエーテル、フェニルカルビトール、フェニルセロソルブ、ベンジルカルビトール等が挙げられる。このうち、洗浄力及び貯蔵安定性の点から、プロピレングリコールモノメチルエーテル、ジエチレングリコールモノブチルエーテル、ポリオキシエチレン（ｐ＝１〜４）グリコールフェニルエーテルが好ましい。
【００７１】
（III）の化合物としては、１，３−ジメチル−２−イミダゾリジノン、１，３−ジエチル−２−イミダゾリジノンが好適なものとして例示される。
【００７２】
（ｄ）成分としては、本発明の課題を解決するために（I）、（II）の水溶性溶剤が好ましく、特にエチレングリコール、プロピレングリコール、ジエチレングリコール、ジプロピレングリコール、グリセリン、イソプレングリコール、プロピレングリコールモノメチルエーテル、プロピレングリコールモノエチルエーテルから選ばれる水溶性溶剤が好ましい。
【００７３】
〔（ｅ）成分〕
本発明の硬質表面用液体洗浄剤は、貯蔵安定性を向上させる目的でハイドロトロープ剤〔以下、（ｅ）成分という〕を含有することが好ましい。ハイドロトロープ剤としては、エタノール、プロピルアルコール、イソプロピルアルコール、トルエンスルホン酸、キシレンスルホン酸、クメンスルホン酸及びこれらのナトリウム、カリウムあるいはマグネシウム塩が良好であり、特にエタノール、ｐ−トルエンスルホン酸が良好である。
【００７４】
〔その他の成分〕
本発明の硬質表面用液体洗浄剤は、その他の成分として、通常液体洗浄剤に配合されている成分を含有することができる。例えば、香料成分、除菌成分、防腐剤、濁り剤、着色剤を挙げることができる。
【００７５】
〔各成分の含有量〕
本発明の硬質表面用液体洗浄剤中における各成分の含有量は、以下のとおりである。
【００７６】
（ａ）成分の含有量は、２．５〜８質量％が好ましく、２．５〜７質量％がより好ましく、３〜６質量％が更に好ましい。
【００７７】
（ｂ）成分の含有量は、０．１〜１０質量％が好ましく、０．２〜６質量％がより好ましく、０．５〜５質量％が更に好ましい。
【００７８】
（ａ）成分と（ｂ）成分の質量比〔（ａ）／（ｂ）〕は、（ｂ）成分／（ａ）成分を０．０１〜４、好ましくは０．０２〜３、特に好ましくは０．０７〜２．５である。
【００７９】
（ｃ）成分の含有量は、５．１〜６５質量％が好ましく、１１〜５５質量％がより好ましく、１２〜５０質量％が更に好ましい。また、（ｃ）成分として、（ｃ１）成分、（ｃ２）成分、を含むときは、洗浄剤中の各成分の含有量は、（ｃ１）成分が０．１〜１５質量％、（ｃ２）成分を５〜５０質量％であることが好ましい。
【００８０】
（ｄ）成分の含有量は、０〜１０質量％が好ましく、より好ましくは０〜９質量％、更に好ましくは０〜８質量％である。
【００８１】
（ｅ）成分の含有量は、１〜１３質量％が好ましく、より好ましくは２〜１２質量％、更に好ましくは３〜１１質量％である。
【００８２】
（ａ）〜（ｅ）成分等を除く残部は水が好適であり、使用する水は無機質汚れの除去性向上剤で用いたものと同じものが好ましい。
【００８３】
本発明の硬質表面用液体洗浄剤の２５℃におけるｐＨは、無機質汚れの除去性向上剤と同じ範囲に調整することが好ましい。
【００８４】
＜無機質汚れの除去方法＞
本発明の無機質汚れの除去方法においては、硬質表面用液体洗浄剤を水垢汚れ（無機質汚れ）が付着した対象表面に接触させる方法を適用できる。
【００８５】
接触方法としては、柔軟な液体吸収性材料、具体的にはスポンジや不織布などに前記洗浄剤を含浸させて擦る方法、トリガー式スプレーヤーにより、前記洗浄剤を被処理表面にスプレーする方法を挙げることができる。
【００８６】
本発明の除去方法では、硬質表面用液体洗浄剤が被処理表面に接触したと同時又は接触させた後に対象表面を擦る方法が好適である。なお、本発明の除去方法では、除去作業時において、本発明の無機質汚れの除去性向上剤と市販の硬質表面用液体洗浄剤（本発明の無機質汚れの除去性向上剤を含んでいない）を併用した場合でも、本発明の硬質表面用液体洗浄剤を用いた場合と同等の効果を得ることができる。
【００８７】
一般の無機質汚れ洗浄剤では、２０℃におけるｐＨを６〜８に調整した場合には、通常は（ａ）成分の効果が損なわれるのに対して、本発明の無機質汚れの除去性向上剤及び硬質表面用液体洗浄剤では、このようなｐＨ領域においても（ａ）成分の無機質汚れの除去効果を相乗的に高めることができるため、無機質汚れの除去方法に最適である。
【実施例】
【００８８】
表１に示す成分を用いて硬質表面用液体洗浄剤を調製した。その際、ｐＨは４８％水酸化ナトリウムを用いて調整した（表１中は「＋」表示）。調整後、これら洗浄剤の洗浄力及び水垢除去性能を下記の方法で評価した。結果を表１に併記する。
【００８９】
＜ｐＨの測定方法＞
ｐＨメーター（ＨＯＲＩＢＡ製  ｐＨ／イオンメーター  Ｆ-２３）にｐＨ測定用複合電極（ＨＯＲＩＢＡ製  ガラス摺り合わせスリーブ型）を接続し、電源を投入した。ｐＨ電極内部液としては、飽和塩化カリウム水溶液（３．３３ｍｏｌ／Ｌ）を使用した。
【００９０】
次に、ｐＨ４．０１標準液（フタル酸塩標準液）、ｐＨ６．８６（中性リン酸塩標準液）、ｐＨ９．１８標準液（ホウ酸塩標準液）をそれぞれ１００ｍｌビーカーに充填し、２５℃の恒温槽に３０分間浸漬した。恒温に調整された標準液にｐＨ測定用電極を３分間浸し、ｐＨ６．８６→ｐＨ９．１８→ｐＨ４．０１の順に校正操作を行った。
【００９１】
試料を１００ｍｌビーカーに充填し、２５℃の恒温槽内にて２５℃に調整した。恒温に調整された試料にｐＨ測定用電極を３分間浸し、ｐＨを測定した。
【００９２】
＜水垢除去性能評価＞
研磨仕上げしたＳＵＳ３０４のテストピースの重量を測定した後（初期ピース重量）、自動食器洗浄機（松下電器産業（株）製；ＮＰ-７２０）内のかごにあらかじめ取り付けてあったクリップに挟み固定した。洗剤投入口に牛乳２３ｍｌ、水酸化カルシウム１５ｇ、炭酸カルシウム１５ｇを投入し、通常モードで洗浄機を作動させた。この操作を２回繰り返した後、さらに牛乳２３ｍｌ、オルトケイ酸ナトリウム１５ｇ、塩化カルシウム１５ｇで洗浄機を通常モードで作動させた。操作終了後、自動食器洗浄機からテストピースを取り出し、テストピースの温度が室温に戻ってから、質量を測定し（評価前ピース質量）ピースに固着した汚れ量を算出した。
【００９３】
次に、イオン交換水で１０％の水溶液に希釈した表1の組成物中（１２０ｍｌ）に、モデル汚れ固着ピースを５分間浸漬し、３０秒間流水で洗浄後、自然乾燥した。乾燥後に質量を測定することで（評価後ピース質量）、ピースに残留している汚れ量を求めた。
【００９４】
水垢除去性能を示す基準として水垢除去率を以下に定義し、各組成物の水垢除去率を算出した。
【００９５】
【数１】
2007016130.tif 000008
【００９６】
【表１】
2007016130.tif 000009
【００９７】
実施例１の硬質表面用液体洗浄剤は、（ａ）及び（ｂ）成分を含有する無機質汚れの除去性向上剤を含有しているため、比較例と比べると、高い水垢除去率を示した。なお、（ａ）成分として、ＥＤＴＡを用いても同程度の水垢除去率を示し、（ｂ）成分として、ＧＥ−２ＥＨの代わりに、一般式（１）中のＲ１がイソノニル又はイソデシルであるものを用いても同程度の水垢除去率を示した。
【００９８】
表１に示す各成分の詳細は以下のとおりである。
（ｂ）成分
・ＧＥ−２ＥＨ：２−エチルヘキシルモノグリセリルエーテル（モノグリセリルエーテル９８質量％）
（ｃ）成分
・ＥＳ：ポリオキシエチレンアルキルエーテル硫酸ナトリウム[原料アルコールは、１−デセン及び１−ドデセン５０／５０（重量比）を原料にヒドロホルミル化して得られたアルコールである。このアルコールにＥＯを平均２モル付加させた後、三酸化イオウにより硫酸化し、水酸化ナトリウムで中和した。全ポリオキシエチレンアルキルエーテル硫酸ナトリウム中の全ポリオキシエチレン分岐鎖アルキルエーテル硫酸の割合は４２重量％であった。
・ＡＯ：Ｎ−ラウリル−Ｎ,Ｎ−ジメチルアミンオキシド
・スルホベタイン：ラウリルジメチルスルホベタイン
・ノニオン：アルキル基の組成がＣ１２／Ｃ１４＝６０／４０の混合アルキルでグルコシド平均縮合度１．５のアルキルグルコシド
（ｅ）成分
・ポリプロピレングリコール：平均分子量１０００のもの
（その他の成分）
・防腐剤：プロキセルＢＤＮ（アビシア株式会社製）